(57)【要約】【課題】使用状況によって最適な表示モードを選択することにより、トータルの消費電力を削減する。【解決手段】白色画像を表示する有機ＥＬ表示装置と、カラーシャッタ眼鏡とを有する表示装置であって、前記カラーシャッタ眼鏡は、左右の眼鏡毎に、第１の色、第２の色、第３の色の透過、非透過が制御可能であり、前記有機ＥＬ表示装置に表示する画像に同期して、前記カラーシャッタ眼鏡を制御することにより、モノクロ画像表示モード、カラー画像表示モード、モノクロ立体画像表示モード、カラー立体画像表示モードのいずれか選択可能である。【選択図】図３
2014216920.tif 000002
【特許請求の範囲】
【請求項１】
白色画像を表示する有機ＥＬ表示装置と、
カラーシャッタ眼鏡とを有する表示装置であって、
前記カラーシャッタ眼鏡は、左右の眼鏡毎に、第１の色、第２の色、第３の色の透過、非透過が制御可能であり、
前記有機ＥＬ表示装置に表示する画像に同期して、前記カラーシャッタ眼鏡を制御することにより、モノクロ画像表示モード、カラー画像表示モード、モノクロ立体画像表示モード、カラー立体画像表示モードのいずれか選択可能であることを特徴とする表示装置。
【請求項２】
前記モノクロ画像表示モードは、前記有機ＥＬ表示装置に白色画像を表示し、かつ、前記カラーシャッタ眼鏡を透過状態として、モノクロ画像を表示する表示モードであり、
前記カラー画像表示モードは、前記有機ＥＬ表示装置に、１／３フレーム毎に順次、第１の色、第２の色、および第３の色の白色画像を表示し、かつ、前記カラーシャッタ眼鏡を、１／３フレーム毎に順次、第１の色のみ透過状態、第２の色のみ透過状態、および第３の色のみ透過状態に制御して、カラー画像を表示する表示モードであり、
前記モノクロ立体画像表示モードは、前記有機ＥＬ表示装置に、１／２フレーム毎に交互に、右眼用と、左眼用の白色画像を表示し、かつ、前記カラーシャッタ眼鏡を、１／２フレーム毎に交互に、右眼が透過状態で左眼が非透過状態、右眼が非透過状態で左眼が透過状態に制御して、モノクロ立体画像を表示する表示モードであり、
前記カラー立体画像表示モードは、前記有機ＥＬ表示装置に、１／６フレーム毎に順次に、右眼用の第１の色、右眼用の第２の色、右目用の第３の色、左眼用の第１の色、左眼用の第２の色、および左眼用の第３の色の白色画像を表示し、かつ、前記カラーシャッタ眼鏡を、１／６フレーム毎に順次に、右眼が第１の色のみ透過状態で左眼が非透過状態、右眼が第２の色のみ透過状態で左眼が非透過状態、右眼が第３の色のみ透過状態で左眼が非透過状態、左眼が第１の色のみ透過状態で右眼が非透過状態、左眼が第２の色のみ透過状態で右眼が非透過状態、左眼が第３の色のみ透過状態で右眼が非透過状態右眼が非透過状態で左眼が透過状態に制御して、カラー立体画像を表示する表示モードであることを特徴とする請求項１に記載の表示装置。
【請求項３】
前記カラーシャッタ眼鏡の左右の眼鏡は、一対の偏光板と、
前記一対の偏光板の間に配置されるコモン電極と、第１ないし第３の電極と、液晶層と、前記第１ないし第３の電極に対応して設けられる第１の色、第２の色、および第３の色のカラーフィルタとを有し、
前記液晶層は、前記コモン電極と、前記第１ないし第３の電極との間に配置され、
前記コモン電極と、前記第１ないし第３の電極に入力する駆動電圧を制御して、前記カラーシャッタ眼鏡の左右の眼鏡を、透過状態、非透過状態、第１の色のみ透過状態、第２の色のみ透過状態、第３の色のみ透過状態のいずれかに制御可能であることを特徴とする表示装置。
【発明の詳細な説明】
【技術分野】
【０００１】
本発明は、表示装置に係わり、特に、低消費電力駆動時に有効な技術に関する。
【背景技術】
【０００２】
近年、フラットディスプレイ装置の需要が増大している。特に、有機ＥＬ（Electro Luminescence）素子（ＯＬＥＤ；Oganic Light Emitting Diode）を用いた有機ＥＬ表示装置は、消費電力、軽さ、薄さ、動画特性、視野角などの点で優れており、開発、実用化も進んでいる。
スマートフォンなどに用いられる有機表示パネルは高精細化が進んでいるが、これに伴い消費電力の増加が問題となっている。
しかし、スマートフォンであっても使用するさまざまな状況下で常に高画質表示が必要とされているわけではなく、使用状況によって表示モードを選択することによって、消費電力を最適化できることでトータルの消費電力を削減することが可能である。
【先行技術文献】
【特許文献】
【０００３】
【特許文献１】特開２００４−２７９７４３号公報
【発明の概要】
【発明が解決しようとする課題】
【０００４】
従来、携帯機器向け表示装置では、電子書籍向けなどの低消費電力を特化した反射型モノクロ表示装置もしくはスマートフォンなどの高画質化に特化した高精細のカラー液晶や有機ＥＬ表示装置が知られている。
しかしながら、従来の携帯機器向け表示装置では、使用状況に応じた表示品質や消費電力を選択することができなかった。
本発明は、前記従来技術の問題点を解決するためになされたものであり、本発明の目的は、表示装置において、使用状況によって最適な表示モードを選択することにより、トータルの消費電力を削減することが可能となる技術を提供することにある。
本発明の前記ならびにその他の目的と新規な特徴は、本明細書の記述及び添付図面によって明らかにする。
【課題を解決するための手段】
【０００５】
本願において開示される発明のうち、代表的なものの概要を簡単に説明すれば、下記の通りである。
（１）白色画像を表示する有機ＥＬ表示装置と、カラーシャッタ眼鏡とを有する表示装置であって、前記カラーシャッタ眼鏡は、左右の眼鏡毎に、第１の色、第２の色、第３の色の透過、非透過が制御可能であり、前記有機ＥＬ表示装置に表示する画像に同期して、前記カラーシャッタ眼鏡を制御することにより、モノクロ画像表示モード、カラー画像表示モード、モノクロ立体画像表示モード、カラー立体画像表示モードのいずれか選択可能である。
【０００６】
（２）（１）において、前記モノクロ画像表示モードは、前記有機ＥＬ表示装置に白色画像を表示し、かつ、前記カラーシャッタ眼鏡を透過状態として、モノクロ画像を表示する表示モードであり、
前記カラー画像表示モードは、前記有機ＥＬ表示装置に、１／３フレーム毎に順次、第１の色、第２の色、および第３の色の白色画像を表示し、かつ、前記カラーシャッタ眼鏡を、１／３フレーム毎に順次、第１の色のみ透過状態、第２の色のみ透過状態、および第３の色のみ透過状態に制御して、カラー画像を表示する表示モードであり、
前記モノクロ立体画像表示モードは、前記有機ＥＬ表示装置に、１／２フレーム毎に交互に、右眼用と、左眼用の白色画像を表示し、かつ、前記カラーシャッタ眼鏡を、１／２フレーム毎に交互に、右眼が透過状態で左眼が非透過状態、右眼が非透過状態で左眼が透過状態に制御して、モノクロ立体画像を表示する表示モードであり、
前記カラー立体画像表示モードは、前記有機ＥＬ表示装置に、１／６フレーム毎に順次に、右眼用の第１の色、右眼用の第２の色、右目用の第３の色、左眼用の第１の色、左眼用の第２の色、および左眼用の第３の色の白色画像を表示し、かつ、前記カラーシャッタ眼鏡を、１／６フレーム毎に順次に、右眼が第１の色のみ透過状態で左眼が非透過状態、右眼が第２の色のみ透過状態で左眼が非透過状態、右眼が第３の色のみ透過状態で左眼が非透過状態、左眼が第１の色のみ透過状態で右眼が非透過状態、左眼が第２の色のみ透過状態で右眼が非透過状態、左眼が第３の色のみ透過状態で右眼が非透過状態右眼が非透過状態で左眼が透過状態に制御して、カラー立体画像を表示する表示モードである。
【０００７】
（３）（１）において、前記カラーシャッタ眼鏡の左右の眼鏡は、一対の偏光板と、前記一対の偏光板の間に配置されるコモン電極と、第１ないし第３の電極と、液晶層と、前記第１ないし第３の電極に対応して設けられる第１の色、第２の色、および第３の色のカラーフィルタとを有し、前記液晶層は、前記コモン電極と、前記第１ないし第３の電極との間に配置され、前記コモン電極と、前記第１ないし第３の電極に入力する駆動電圧を制御して、前記カラーシャッタ眼鏡の左右の眼鏡を、透過状態、非透過状態、第１の色のみ透過状態、第２の色のみ透過状態、第３の色のみ透過状態のいずれかに制御可能である。
【発明の効果】
【０００８】
本願において開示される発明のうち代表的なものによって得られる効果を簡単に説明すれば、下記の通りである。
本発明の表示装置によれば、使用状況によって最適な表示モードを選択することにより、トータルの消費電力を削減することが可能となる。
【図面の簡単な説明】
【０００９】
【図１】本発明の実施例の表示装置の概略構成を示すブロック図である。
【図２】本発明の実施例の表示装置のモノクロ画像表示モードの場合の映像信号変換方法を説明するための図である。
【図３】本発明の実施例の表示装置のカラー画像表示モードの場合の映像信号変換方法を説明するための図である。
【図４】本発明の実施例の表示装置のモノクロ立体画像表示モードの場合の映像信号変換方法を説明するための図である。
【図５】本発明の実施例の表示装置のカラー立体画像表示モードの場合の映像信号変換方法を説明するための図である。
【図６】本発明の実施例の表示装置のカラーシャッタ眼鏡の左右のカラーシャッタの概略構成を示す図である。
【図７】本発明の実施例の表示装置のカラーシャッタ眼鏡の左右のカラーシャッタの回路構成を示す回路図である。
【発明を実施するための形態】
【００１０】
以下、図面を参照して本発明の実施例を詳細に説明する。
なお、実施例を説明するための全図において、同一機能を有するものは同一符号を付け、その繰り返しの説明は省略する。また、以下の実施例は、本発明の特許請求の範囲の解釈を限定するためのものではない。
図１は、本発明の実施例の表示装置の概略構成を示すブロック図である。
図１において、１は有機ＥＬ表示装置であり、本実施例の有機ＥＬ表示装置１は、例えば、スマートフォン、タブレットなどに使用される小型の有機ＥＬ表示装置である。
本実施例の有機ＥＬ表示パネルは、例えば、トップエミッション方式で、かつ、白色発光層を用い、白色画像を表示する有機ＥＬ表示パネルである。
２は、カラーシャッタ眼鏡であり、カラーシャッタ眼鏡２は、眼鏡制御回路３と、カラーシャッタ４を有する。
有機ＥＬ表示装置１は、有機ＥＬ駆動回路１０、有機ＥＬ表示パネル２０を有する。有機ＥＬ表示パネル２０は、映像線（図示せず）と走査線（図示せず）とを有し、その内部に走査線（ゲートともいう）駆動回路２１が設けられている。
有機ＥＬ駆動回路１０は、外部の画像処理回路（図示せず）からの映像信号、タイミング制御信号、および制御コマンドが入力されるインターフェース回路１１と、駆動信号を生成する制御信号生成回路１２と、走査線制御回路１３と、外部から入力される画像データが格納されるフレームメモリ１４と、映像信号出力回路１６とを有する。
【００１１】
制御信号生成回路１２は、インターフェース回路１１を介して外部の画像処理回路から入力されるタイミング制御信号、制御コマンドに基づき、フレームメモリ１４を制御するメモリ制御信号と、走査線制御回路１３と映像信号出力回路１６を制御する駆動制御信号と、カラーシャッタ眼鏡２を同期して駆動するために眼鏡制御回路３を制御する眼鏡制御信号とを生成する。
走査線制御回路１３は、制御信号生成回路１２から入力される駆動信号に基づき、走査線駆動回路２１を制御し、走査線駆動回路２１は、走査線制御回路１３から入力される走査線スキャン開始信号に基づき、１フレーム期間内に、有機ＥＬ表示パネル２０内の走査線に、各画素に映像電圧を書き込むための選択電圧を順次供給する。
インターフェース回路１１を介して、外部の画像処理回路から入力される入力映像信号は、フレームメモリ１４に入力される。
フレームメモリ１４から読み出された映像信号は、映像信号出力回路１６に入力され、映像信号出力回路１６は、各動作モードに従ったデータフォーマットの表示信号に変換した後、アナログの映像電圧に変換し、制御信号生成回路１２から入力される映像電圧出力タイミング信号に基づき、当該アナログの映像電圧を、有機ＥＬ表示パネル２０内の映像線に出力する。これにより、有機ＥＬ表示パネル２０の表示領域ＡＲに画像が表示される。
【００１２】
図２は、本発明の実施例の表示装置のモノクロ画像表示モードの場合の映像信号変換方法を説明するための図である。なお、図２、および後述する図３ないし図５において、（ａ）は入力映像信号を、（ｂ）は表示信号を示す。
モノクロ画像表示モードの場合は、タイミングの変換はなく、入力映像信号である赤（Ｒ）、緑（Ｇ）、青（Ｂ）のそれぞれの階調データを、表示信号である輝度データに変換し、当該輝度データに基づき、有機ＥＬ表示パネル２０に白黒画像を表示する。
そして、カラーシャッタ眼鏡２の左右の眼鏡のカラーシャッタ４をそれぞれ透過状態とする。これにより、観測者は、モノクロ画像を観測することができる。
図３は、本発明の実施例の表示装置のカラー画像表示モードの場合の映像信号変換方法を説明するための図である。
カラー画像表示モードの場合は、入力映像信号である赤（Ｒ）、緑（Ｇ）、青（Ｂ）のそれぞれの階調データを、表示信号である、１／３サブフレーム毎の赤（Ｒ）、緑（Ｇ）、青（Ｂ）の階調データに変換し、各サブフレーム毎に、有機ＥＬ表示パネル２０に、赤（Ｒ）、緑（Ｇ）、青（Ｂ）の白黒画像を表示する。
そして、有機ＥＬ表示パネル２０に表示される、赤（Ｒ）、緑（Ｇ）、青（Ｂ）の白黒画像に同期して、カラーシャッタ眼鏡２の左右の眼鏡のカラーシャッタ４を、１／３サブフレーム毎に順次、赤（Ｒ）のみ透過状態、緑（Ｇ）のみ透過状態、青（Ｂ）のみ透過状態に制御する。これにより、観測者は、フィールドシーケンス方式で、カラー画像を観測することができる。
【００１３】
図４は、本発明の実施例の表示装置のモノクロ立体画像表示モードの場合の映像信号変換方法を説明するための図である。
モノクロ立体画像表示モードの場合は、入力映像信号である左眼用の赤（Ｒ）、緑（Ｇ）、青（Ｂ）のそれぞれの階調データを、１／２フレームの前半のフレームの左眼用の輝度データに変換し、入力映像信号である右眼用の赤（Ｒ）、緑（Ｇ）、青（Ｂ）のそれぞれの階調データを、１／２フレームの後半のフレームの右眼用の輝度データに変換し、当該輝度データに基づき、有機ＥＬ表示パネル２０に、１／２フレーム毎に交互に、左眼用と、右眼用の白色画像を表示する。
そして、有機ＥＬ表示パネル２０に表示される、左眼用と右眼用の白色画像に同期して、カラーシャッタ眼鏡２の左右の眼鏡のカラーシャッタ４を、１／２フレーム毎に交互に、左眼が透過状態で右眼が非透過状態、左眼が非透過状態で右眼が透過状態に制御する。これにより、観測者は、モノクロ立体画像を観測することができる。
【００１４】
図５に、本発明の実施例の表示装置のカラー立体画像表示モードの場合の映像信号変換方法を説明するための図である。
カラー立体画像表示モードの場合は、入力映像信号である左眼用の赤（Ｒ）、緑（Ｇ）、青（Ｂ）のそれぞれの階調データを、１／２フレームの前半のフレームの１／６フレーム毎の左眼用の赤（Ｒ）、緑（Ｇ）、青（Ｂ）の階調データに変換し、入力映像信号である右眼用の赤（Ｒ）、緑（Ｇ）、青（Ｂ）のそれぞれの階調データを、１／２フレームの後半のフレームの１／６フレーム毎の右眼用の階調データに変換し、有機ＥＬ表示パネル２０に、１／６フレーム毎に、左眼用の赤（Ｒ）、緑（Ｇ）、青（Ｂ）の白黒画像、および、右眼用の赤（Ｒ）、緑（Ｇ）、青（Ｂ）の白黒画像を表示する。
そして、有機ＥＬ表示パネル２０に表示される、左眼用の赤（Ｒ）、緑（Ｇ）、青（Ｂ）の白黒画像、および、右眼用の赤（Ｒ）、緑（Ｇ）、青（Ｂ）の白黒画像に同期して、カラーシャッタ眼鏡２の左右の眼鏡のカラーシャッタ４を、１／２フレームの前半のフレームに、右眼が非透過状態で、左眼が、１／６サブフレーム毎に順次、赤（Ｒ）のみ透過状態、緑（Ｇ）のみ透過状態、青（Ｂ）のみ透過状態に制御し、１／２フレームの後半のフレームに、左眼が非透過状態で、右眼が、１／６サブフレーム毎に順次、が赤（Ｒ）のみ透過状態、緑（Ｇ）のみ透過状態、青（Ｂ）のみ透過状態に制御する。
これにより、観測者は、フィールドシーケンス方式で、カラー立体画像を観測することができる。
【００１５】
図６は、本発明の実施例の表示装置のカラーシャッタ眼鏡２の左右の眼鏡のカラーシャッタ４の概略構成を示す図である。
図７は、本発明の実施例の表示装置のカラーシャッタ眼鏡２の左右の眼鏡のカラーシャッタ４の回路構成を示す回路図である。
図６に示すように、本実施例のカラーシャッタ眼鏡２の左右の眼鏡のカラーシャッタ４は、コモン電極（ＣＴ）と、Ｒ電極（ＲＰＸ）と、Ｇ電極（ＧＰＸ）と、Ｂ電極（ＢＰＸ）と、Ｒ電極（ＲＰＸ）、Ｇ電極（ＧＰＸ）、およびＢ電極（ＢＰＸ）とコモン電極（ＣＴ）との間に配置される液晶層（図示せず）と、Ｒ電極（ＲＰＸ）、Ｇ電極（ＧＰＸ）、およびＢ電極（ＢＰＸ）に対応して設けられる赤（Ｒ）、緑（Ｇ）、青（Ｂ）のカラーフィルタとを有する。
なお、コモン電極（ＣＴ）と、Ｒ電極（ＲＰＸ）、Ｇ電極（ＧＰＸ）、およびＢ電極（ＢＰＸ）と、赤（Ｒ）、緑（Ｇ）、青（Ｂ）のカラーフィルタは、一対の偏光板の間に配置される。また、図７において、ＣＬＣは液晶容量を示している。
ここで、一対の偏光板は、偏光軸が直交得している、また、コモン電極（ＣＴ）と、Ｒ電極（ＲＰＸ）、Ｇ電極（ＧＰＸ）、およびＢ電極（ＢＰＸ）は、透明電極（例えば、ＩＴＯ等）により構成される。
また、赤（Ｒ）、緑（Ｇ）、青（Ｂ）のカラーフィルタは、色を選択するシャッタ機能であり、有機ＥＬ表示パネル２０の精細度とは関係なく、低精細度で高開口率とすることができる。
【００１６】
本実施例のカラーシャッタ眼鏡２の左右の眼鏡のカラーシャッタ４では、共通電極（ＣＴ）に供給する共通電圧（Ｖｃｏｍ）に対して、Ｒ電極（ＲＰＸ）に、光が透過状態となる電圧（ＶＲａ）と、光が非透過状態となる電圧（ＶＲｂ）を供給し、同様に、Ｇ電極（ＧＰＸ）に、光が透過状態となる電圧（ＶＧａ）、光が非透過状態となる電圧（ＶＧｂ）を供給し、Ｂ電極（ＢＰＸ）に、光が透過状態となる電圧（ＶＢａ）、光が非透過状態となる電圧（ＶＢｂ）を供給して、シャッタ機能を実現する。
例えば、モノクロ画像表示モードの場合は、カラーシャッタ眼鏡２の左右の眼鏡のカラーシャッタ４のＲ電極（ＲＰＸ）、Ｇ電極（ＧＰＸ）、およびＢ電極（ＢＰＸ）のそれぞれに、光が透過状態となる電圧（ＶＲａ，ＶＧａ，ＶＢａ）を供給して、カラーシャッタ眼鏡２の左右の眼鏡のカラーシャッタ４を透過状態とする。これにより、観測者は、有機ＥＬ表示パネル２０に表示された白黒画像を観測することができる。
また、カラー画像表示モードの場合は、１／３サブフレームの始めのフレームに、カラーシャッタ眼鏡２の左右の眼鏡のカラーシャッタ４のＲ電極（ＲＰＸ）に、光が透過状態となる電圧（ＶＲａ）を供給し、Ｇ電極（ＧＰＸ）とＢ電極（ＢＰＸ）に、光が非透過状態となる電圧（ＶＧｂ，ＶＢｂ）を供給して、左右の眼鏡のカラーシャッタ４を赤（Ｒ）のみ透過状態となし、１／３サブフレームの中間のフレームに、カラーシャッタ眼鏡２の左右の眼鏡のカラーシャッタ４のＧ電極（ＧＰＸ）に、光が透過状態となる電圧（ＶＧａ）を供給し、Ｒ電極（ＲＰＸ）とＢ電極（ＢＰＸ）に、光が非透過状態となる電圧（ＶＲｂ，ＶＢｂ）を供給して、左右の眼鏡のカラーシャッタ４を緑（Ｇ）のみ透過状態となし、１／３サブフレームの最後のフレームに、カラーシャッタ眼鏡２の左右の眼鏡のカラーシャッタ４のＢ電極（ＢＰＸ）に、光が透過状態となる電圧（ＶＢａ）を供給し、Ｒ電極（ＲＰＸ）とＧ電極（ＧＰＸ）に、光が非透過状態となる電圧（ＶＲｂ，ＶＧｂ）を供給して、左右の眼鏡のカラーシャッタ４を青（Ｂ）のみ透過状態とする。
これにより、観測者は、１／３サブフレーム毎に、有機ＥＬ表示パネル２０に表示される赤（Ｒ）、緑（Ｇ）、青（Ｂ）の白黒画像を観測できるので、フィールドシーケンス方式で、カラー画像を観測することができる。
【００１７】
また、モノクロ立体画像表示モードの場合は、１／２フレームの前半のフレームに、カラーシャッタ眼鏡２の左眼のカラーシャッタ４のＲ電極（ＲＰＸ）、Ｇ電極（ＧＰＸ）、およびＢ電極（ＢＰＸ）のそれぞれに、光が透過状態となる電圧（ＶＲａ，ＶＧａ，ＶＢａ）を供給し、カラーシャッタ眼鏡２の右眼のカラーシャッタ４のＲ電極（ＲＰＸ）、Ｇ電極（ＧＰＸ）、およびＢ電極（ＢＰＸ）のそれぞれに、光が非透過状態となる電圧（ＶＲｂ，ＶＧｂ，ＶＢｂ）を供給して、左眼のカラーシャッタ４を透過状態、右眼のカラーシャッタ４を非透過状態となし、１／２フレームの後半のフレームに、カラーシャッタ眼鏡２の左眼のカラーシャッタ４のＲ電極（ＲＰＸ）、Ｇ電極（ＧＰＸ）、およびＢ電極（ＢＰＸ）のそれぞれに、光が非透過状態となる電圧（ＶＲｂ，ＶＧｂ，ＶＢｂ）を供給し、カラーシャッタ眼鏡２の右眼のカラーシャッタ４のＲ電極（ＲＰＸ）、Ｇ電極（ＧＰＸ）、およびＢ電極（ＢＰＸ）のそれぞれに、光が透過状態となる電圧（ＶＲａ，ＶＧａ，ＶＢａ）を供給して、左眼のカラーシャッタ４を非透過状態、右眼のカラーシャッタ４を透過状態とする。これにより、観測者は、１／２サブフレーム毎に、有機ＥＬ表示パネル２０に表示される、右眼用の白色画像を右眼で、左眼用の白色画像を左眼で観測できるので、モノクロ立体画像を観測することができる。
【００１８】
また、カラー立体画像表示モードの場合は、１／２フレームの前半のフレームに、カラーシャッタ眼鏡２の右眼のカラーシャッタ４のＲ電極（ＲＰＸ）、Ｇ電極（ＧＰＸ）、およびＢ電極（ＢＰＸ）のそれぞれに、光が非透過状態となる電圧（ＶＲｂ，ＶＧｂ，ＶＢｂ）を供給して、右眼のカラーシャッタ４を非透過状態とする。
一方、１／２フレームの前半のフレームの１／６サブフレームの１番目のフレームに、カラーシャッタ眼鏡２の左眼のカラーシャッタ４のＲ電極（ＲＰＸ）に、光が透過状態となる電圧（ＶＲａ）を供給し、Ｇ電極（ＧＰＸ）とＢ電極（ＢＰＸ）に、光が非透過状態となる電圧（ＶＧｂ，ＶＢｂ）を供給して、左眼のカラーシャッタ４を赤（Ｒ）のみ透過状態となし、１／６サブフレームの２番目のフレームに、カラーシャッタ眼鏡２の左眼のカラーシャッタ４のＧ電極（ＧＰＸ）に、光が透過状態となる電圧（ＶＧａ）を供給し、Ｒ電極（ＲＰＸ）とＢ電極（ＢＰＸ）に、光が非透過状態となる電圧（ＶＲｂ，ＶＢｂ）を供給して、左眼のカラーシャッタ４を緑（Ｇ）のみ透過状態となし、１／６サブフレームの３番目のフレームに、カラーシャッタ眼鏡２の左眼のカラーシャッタ４のＢ電極（ＢＰＸ）に、光が透過状態となる電圧（ＶＢａ）を供給し、Ｒ電極（ＲＰＸ）とＧ電極（ＧＰＸ）に、光が非透過状態となる電圧（ＶＲｂ，ＶＧｂ）を供給して、左眼のカラーシャッタ４を青（Ｂ）のみ透過状態とする。
【００１９】
また、１／２フレームの後半のフレームに、カラーシャッタ眼鏡２の左眼のＲ電極（ＲＰＸ）、Ｇ電極（ＧＰＸ）、およびＢ電極（ＢＰＸ）のそれぞれに、光が非透過状態となる電圧（ＶＲｂ，ＶＧｂ，ＶＢｂ）を供給して、左眼のカラーシャッタ４を非透過状態とする。
一方、１／２フレームの後半のフレームの１／６サブフレームの４番目のフレームに、カラーシャッタ眼鏡２の右眼のカラーシャッタ４のＲ電極（ＲＰＸ）に、光が透過状態となる電圧（ＶＲａ）を供給し、Ｇ電極（ＧＰＸ）とＢ電極（ＢＰＸ）に、光が非透過状態となる電圧（ＶＧｂ，ＶＢｂ）を供給して、右眼のカラーシャッタ４を赤（Ｒ）のみ透過状態となし、１／６サブフレームの５番目のフレームに、カラーシャッタ眼鏡２の右眼のカラーシャッタ４のＧ電極（ＧＰＸ）に、光が透過状態となる電圧（ＶＧａ）を供給し、Ｒ電極（ＲＰＸ）とＢ電極（ＢＰＸ）に、光が非透過状態となる電圧（ＶＲｂ，ＶＢｂ）を供給して、右眼のカラーシャッタ４を緑（Ｇ）のみ透過状態となし、１／６サブフレームの６番目のフレームに、カラーシャッタ眼鏡２の右眼のカラーシャッタ４のＢ電極（ＢＰＸ）に、光が透過状態となる電圧（ＶＢａ）を供給し、Ｒ電極（ＲＰＸ）とＧ電極（ＧＰＸ）に、光が非透過状態となる電圧（ＶＲｂ，ＶＧｂ）を供給して、右眼のカラーシャッタ４を青（Ｂ）のみ透過状態とする。
これにより、観測者は、１／２サブフレームの前半のフレームの１／６サブフレーム毎に、有機ＥＬ表示パネル２０に表示される、左眼用の赤（Ｒ）、緑（Ｇ）、青（Ｂ）の白色画像を左眼で、１／２サブフレームの後半のフレームの１／６サブフレーム毎に、有機ＥＬ表示パネル２０に表示される右眼用の赤（Ｒ）、緑（Ｇ）、青（Ｂ）の白色画像を右眼で観測できるので、フィールドシーケンス方式で、カラー立体画像を観測することができる。
【００２０】
本実施例の有機ＥＬ表示パネルによれば、従来の白色発光層を用い、カラーフィルタを通すことでカラー画像を表示するカラーフィルタ方式（Ｗ−ＲＧＢ方式）の有機ＥＬ表示パネルに対して、モノクロ表示であるので、開口率が３倍以上で、また、カラーフィルタがないことで、光取出し効率を改善することができる。
しかしながら、本実施例の表示装置では、カラー画像表示モードの場合には、カラーシャッタ眼鏡２に液晶層を使用していることで、偏光板により、光透過率が５０％以下となり、赤（Ｒ）、緑（Ｇ）、青（Ｂ）のそれぞれの表示時間が１／３になることで、偏光板の透過率分、光取出し効率分が低下してしまう。
但し、モノクロ画像表示モードでの利用が６０％以上の場合は、トータル消費電力を低減することが可能である。また、カラーシャッタ眼鏡２での輝度低下の場合は、周囲の明るさも低下するため、直視の場合と比較して輝度が低くても良好に認識できるため、より消費電力を低減できる。
なお、前述の説明において、赤（Ｒ）、緑（Ｇ）、青（Ｂ）に代えて、輝度信号（Ｙ）、色差信号（Ｕ（Ｂ−Ｙ））、色差信号（Ｖ（Ｒ−Ｙ））を使用することも可能である。
以上、本発明者によってなされた発明を、前記実施例に基づき具体的に説明したが、本発明は、前記実施例に限定されるものではなく、その要旨を逸脱しない範囲において種々変更可能であることは勿論である。
【符号の説明】
【００２１】
１  有機ＥＬ表示装置
２  カラーシャッタ眼鏡
３  眼鏡制御回路
４  カラーシャッタ
１０  有機ＥＬ駆動回路
１１  インターフェース回路
１２  制御信号生成回路
１３  走査線制御回路
１４  フレームメモリ、
１６  映像信号出力回路
２０  有機ＥＬ表示パネル
２１  走査線駆動回路
ＡＲ  表示領域
ＲＰＸ  Ｒ電極
ＧＰＸ  Ｇ電極
ＢＰＸ  Ｂ電極
ＣＴ  共通電極
【図１】
2014216920.tif 000003
【図２】
2014216920.tif 000004
【図３】
2014216920.tif 000005
【図４】
2014216920.tif 000006
【図５】
2014216920.tif 000007
【図６】
2014216920.tif 000008
【図７】
2014216920.tif 000009